(57)【要約】      （修正有）【課題】主に腰痛等の軽減ができる牽引装置を提供する。【解決手段】掃除器４の運転によりホース４Ａ内のエアーは吸引され、一方向チェックバルブ１８は開いて連結パイプ５からシリンダー６と６Ａ内のエアーは吸引−排出されて、シリンダー内のピストン６Ｂと６Ｃは点線矢印１００の方向へエアー吸引力で移動する。従って、ピストン６Ｂとピストン６Ｃに連結されているワイヤー７と７Ａは同方向へ引かれ、溝付きローラ８，９，１０と溝付きローラ８Ａ，９Ａ，１０Ａも回され、固定部１１はベッドに固定されている為にワイヤー７と７Ａに直結されている可動部１２は引っ張られ動く。従って１２と連結している可動体２も動くこの時ワイヤー７，７Ａがローラ各３個を介している為に移動量はピストンの移動量の３分の１になり従って移動力は反比例し３倍の力に倍力される。【選択図】図１
0003189924.tif 000002
【実用新案登録請求の範囲】
【請求項１】
家庭に有る市販品の掃除器、又は、真空装置のエア−吸引力を利用しベッド内部内にシリンダー、ピストン及び、ワイヤー、ローラ等を適宜に組み合わせて適宜な牽引力に倍力できる装置である。先ず牽引者が、ベッド上に横たわり、この時ベッド外に有る掃除器の手元ＳＷとエアー開放弁操作引き紐を持ち、運転できる状態にしておく。ベッド頭上側には固定したパイプに、肩をかけるバンドが取付けられ、足元側には可動体に足を取つけるバンドが、設けられている。更に、腰の付近には腰バンドが取付けられている。手元ＳＷを入れるとシリンダー内のピストンが吸引され、連結されているワイヤーが適宜な数のローラを介して引かれ、このワイヤー他端に連結された可動部は動き、足を牽引する事ができる。この場合、動滑車の原理で、掃除器の吸引力に対してローラの数に比例し他適宜な倍力を得る事ができる。  尚、シリンダーの吸入口には、チェックバルブ、エアー開放弁が取付けられて、牽引が終了した時に、このエアー開放弁操作引き紐を引き、弁開放により、シリンダー内に外気エアーは入り、ワイヤーはゆるみ、スプリングのバネ力で可動体は、元の位置に戻り牽引終了となる。
【考案の詳細な説明】
【技術分野】
【０００１】本考案は主に家庭（個人）にて、主に腰痛等の人の足を可動体にゴムバンドにて取付けて、肩をバンドにて取付け、腰はバンドで固定して、可動体を、家庭用掃除器の吸引で作動させ、ワイヤーとローラを組合わせた倍力装置にて適宜な力で人を牽引させるものである
【背景技術】
【０００２】（１）今まで牽引器に重り＋ばね式の安価なメカで作動するものもありますが、病院等のベッドにその方式を施設すると重りの上下作動分の高さ（ストローク分）が必要で、片づけー設置時に手間作業が発生する。
（２）なお、牽引装置の動力としてエアーコンプレッサー式も有るが、設備費が大きい。
【考案の開示】
【考案が解決しようとする課題】
【０００３】    今まで、エアーコンプレッサー等で強い牽引力は発生できたが、設備費が高くなる欠点有り、又、重り＋バネ式は片づけー取り付けに手間作業を要し、重りの上下作動分の高さも要る。
【課題を解決するための手段】
【０００４】本考案は一般家庭用の市販品の掃除器、又は、真空装置を利用して、そのエアー吸引力にて、シリンダー内の、ピストンを動作させ、そのシリンダー内のピストンに連結しているワイヤーを溝付ローラーで介して、牽引器（可動部１２）を３倍（動き量は３分の１に減衰し）の力に増加できて適宜な力で牽引し解決できる。
【考案の効果】
【０００５】本考案は家庭にてベッド上に上向き横たわり牽引装置により足や腰を牽引する事ができる。
【図面の簡単な説明】
【０００６】
【図１】図１は本考案牽引装置の概略作動説明図
【図２】図２は本考案牽引装置の概略説明側面図
【考案を実施するための最良の形態】
【０００７】  本考案の構成はベッド１内に図１ような牽引装置が施されている。  ベッド１内の両側部は、ガイドローラ１４，１４Ａ，１５，１５Ａが設けられている。そのローラにて、丸パイプをＵ形に曲げた可動体２の両側部は上、下のローラではさみこまれている。固定部１１（鉄）は足元側にベッド１にボルト締めされている。なお可動体２（鉄）は、連結部１３，１３Ａにビス１０２，１０２Ａでとめられている。但し可動部１２は連結部１３．１３Ａに溶接されている。次にシリンダー（鉄製パイプ）６，６Ａは、ベッドに平行にしてベッド側に固定されている。
更にシリンダー６，６Ａ内にはピストン６Ｂ，６Ｃが内臓されている。なおスプリング１７は可動部に１２と取付け部１７Ａの間に設けられて，可動部１２を引っ張る状態でスプリング１７の取付け台１７Ａは、シリンダー６と６Ａ間に溶接で取付けらけている。
次に、ベッド１の頭部側には、固定パイプ３がベッド１の頭部に設けらけている。肩バンド３Ａの片端は，固定パイプ３の先端に取付けられている。次にベッド１の足元は、可動体２の足元側がベッドの上の方に曲げられていて、その先端にゴムバンド２Ａが取付けられている。次に作動用ワイヤー７，７Ａの片端は、ピストン６Ｂ，６Ｃにビス止めされている。もう一方の片端は、可動部１２の上に取付けられた取付金具１２ａ，１２ｂにビス止めされている。この時、溝付きローラ８，１０，８Ａ，１０Ａが固定部１１に４個取付けられ、可動部１２には溝付きローラ９，９Ａが２個取り付けられている。更に可動部１２のガイドローラ１４，１４Ａ，．１５，１５Ａの取付け金具は、コの字形に曲げられ、ベッド１の本体内にビス止めで取付けられている。ワイヤー７，及び７Ａは、上記溝付きローラ８，９，１０及び８Ａ．９Ａ、１０Ａにかけられているので、ワイヤーの移動量に対して可動体１２の移動量が小なくなる。（小なくなる代わり力が大きくなり倍力装置が構成されている）なお、シリンダー６，６Ａは、連結パイプ５に溶接されている。掃除器用ホース４Ａは、連結パイプ５にビニールパイプ、又は、ゴムパイプ１９で取外しできるように接続されている。１８は、チエックバルブでシリンダー６，６Ａ内のエアーを吸引時、一方向に排出できる。１６は、開放弁でシリンダー６，６Ａとチェクバルブ間に有り、引き紐１６Ａを引く事により外気のエアーをいれる事ができる。【０００８】    以下添付図面に従って、作動を説明する。図２のように人０がベッド１の上に上向きに横たわり、肩には肩バンド３Ａを取り付け、足は、ゴムバンド２Ａに取り付け、腰には腰バンド３Ｂを取り付ける。
次に、ベッド１の外に有る市販品の掃除器又は、真空装置４のＳＷは
入りのままで、そのＳＷに直列に手元ＳＷコード４Ｂを別に延長接続していて、人０が手元ＳＷ４Ｃを持つている。
人０が、ベッド１上で上向きに横たわった状態（前述のように各バンド取り付けで）で手元ＳＷ４Ｃを切→入りにして掃除器４を運転する。【０００９】以下  図１の概略作動説明図にて作動を説明する。  掃除器４の運転によりホース４Ａ内のエアーは吸引され、一方向チェックバルブ１８は開いて連結パイプ５からシリンダー６と６Ａ内のエアーは吸引−排出されて、シリンダー内のピストン６Ｂと６Ｃは
点線矢印１００の方向へエアー吸引力で移動する。従って、ピストン６Ｂとピストン６Ｃに連結されているワイヤー７と７Ａは同方向へ引かれ、溝付きローラ８，９，１０と溝付きローラ８Ａ．９Ａ，１０Ａも回され、固定部１１はベッド１に固定されている為にワイヤー７と７Ａに直結されている可動部１２（取付金具１２ａと１２ｂにビス止めで直結されて、なお連結部１３と１３Ａは可動体２にビス止めされている。）は引っ張られ動く。従って１２と連結している可動体２も動くこの時ワイヤー７，７Ａがローラ各３個を介している為に移動量はピストンの移動量の３分の１になり従って移動力は反比例し３倍の力に倍力される【００１０】可動体２はガイドローラ１４、１４Ａ，，１５，１５Ａの４箇所（１箇所で上と下２個のローラで、はさみ支持）で支持されている。故に可動体２と足取り付けゴムバンド２Ａも同時に矢印１０１方向へ３倍の力で移動し、故に足と腰は３倍の力で引かれて肩バンドで固定し、腰バンドで取付けされている為、牽引される事になる。【００１１】適宜な牽引位置になった時点で、人０は手元ＳＷ４Ｃを切りにして、そのままの状態で任意の時間牽引する。任意の時間牽引経過後に、人が開放弁１６を引き紐１６Ａを引く事により開放させ、シリンダー６と６Ａ内へ外気のエアーが入る【００１２】シリンダー内にエアーが入る事によりワイヤー７，７Ａはゆるみ、スプリング１７のバネ力で可動部１２はベッド頭方向へ戻り（同時に可動体２と足取付けゴムバンド２Ａも戻り）足の牽引もゆるみ牽引終了となる。
【符号の説明】
【００１４】０、人（牽引者）
１、ベッド
２、可動体                      ２Ａ，足取付けゴムバンド
３、固定パイプ                      ３Ａ，，肩バンド
３Ｂ、腰バンド
４、掃除器（真空装置）          ４Ａ，，掃除器のホース
４Ｂ、掃除器用手元ＳＷコード        ４Ｃ、掃除器用手元ＳＷ
５、連結パイプ                  ６と６Ａ、パイプシリンダー
６Ｂと６Ｃ、ピストン                ７と７Ａ，ワイヤー
８，９，１０と  ８Ａ，９Ａ．１０Ａ，．  溝付きローラ
１１、固定部
１２、可動部
１３と１３Ａ，、連結部
１４，１４Ａ．と１５，１５Ａ，ガイドローラ
１６、エアー開方弁              １６Ａ，，エアー開放弁操作引き紐
１７、スプリング                １７Ａ，スプリング取付け固定金具
１８、チエックバルブ
１９、ビニールパイプ。又は、ゴムパイプ
【図１】
0003189924.tif 000003
【図２】
0003189924.tif 000004
【手続補正書】
【提出日】平成26年1月14日(2014.1.14)
【手続補正１】
【補正対象書類名】実用新案登録請求の範囲
【補正対象項目名】全文
【補正方法】変更
【補正の内容】
【実用新案登録請求の範囲】
【請求項１】
本考案は、シリンダー内の気体を吸引できる減圧装置と、このシリンダー内のピストンに連結したワイヤーと、当ワイヤーに動滑車を介して連結された可動体と、この可動体に取付けられた牽引用バンドとで人体を牽引できる機能を構成しており、動滑車の数に比例して牽引力を倍増できる事を特徴とする牽引装置